【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
複数の超音波トランスデューサと、
非音響センサと、
取得タスクを実行するように超音波装置を動作させるための制御データを格納するメモリ回路と、
前記取得タスクを実行するという指示を受信することと、
前記非音響センサによって得られた非音響データを受信することと、
前記制御データおよび前記非音響データに基づいて、前記取得タスクに対する音響データを得るように前記複数の超音波トランスデューサを制御することと
を行うように構成された、コントローラと
を含む超音波プローブを含む、超音波装置。
【請求項２】
前記制御データが、前記取得タスクに対する前記音響データを得るように前記複数の超音波トランスデューサを制御するためのパラメータ値を含み、前記コントローラが、前記非音響データに基づいて前記パラメータ値を選択するように構成される、請求項１に記載の超音波装置。
【請求項３】
前記非音響センサが、前記超音波装置のコンポーネントの温度を検出するように構成された温度センサを含む、請求項１に記載の超音波装置。
【請求項４】
前記コンポーネントの前記温度が閾値を超えたことを前記温度センサが検出すると、前記コントローラが、前記取得タスクに対する前記音響データを得るために使用される電力の量を低減するように前記複数の超音波トランスデューサを制御するようにさらに構成される、請求項３に記載の超音波装置。
【請求項５】
前記コントローラが、前記非音響データに少なくとも部分的に基づいて前記音響データを処理するようにさらに構成される、請求項１に記載の超音波装置。
【請求項６】
前記非音響センサが、前記超音波装置の運動を検出するように構成され、前記コントローラが、前記非音響センサによって検出された前記運動を補償するために前記音響データを処理するようにさらに構成される、請求項５に記載の超音波装置。
【請求項７】
前記非音響センサが、加速度計またはジャイロスコープを含む、請求項１に記載の超音波装置。
【請求項８】
前記非音響センサが、圧力センサを含む、請求項１に記載の超音波装置。
【請求項９】
前記コントローラが、前記超音波装置の外部のデバイスから前記取得タスクを実行するという前記指示を受信するようにさらに構成される、請求項１に記載の超音波装置。
【請求項１０】
前記コントローラが、デジタル通信リンクを介して前記デバイスから前記指示を受信するようにさらに構成される、請求項９に記載の超音波装置。
【請求項１１】
前記コントローラが、前記超音波装置の前記外部のデバイスに前記音響データを送信するようにさらに構成される、請求項９に記載の超音波装置。
【請求項１２】
請求項９に記載の超音波装置と、
前記超音波装置の外部のデバイスであって、前記超音波装置から前記音響データを受信し、前記音響データに少なくとも部分的に基づいて超音波画像を生成するように構成されたデバイスと
を含む、システム。
【請求項１３】
送信回路をさらに含む超音波装置であって、前記コントローラが、前記制御データおよび前記非音響データに基づいて、前記取得タスクに対する前記音響データを得るように前記複数の超音波トランスデューサおよび前記送信回路を制御するようにさらに構成される、請求項１に記載の超音波装置。
【請求項１４】
前記複数の超音波トランスデューサが、複数の容量性微細加工超音波トランスデューサをさらに含む、請求項１に記載の超音波装置。
【請求項１５】
前記複数の超音波トランスデューサおよび前記非音響センサが、同じ基板上に集積される、請求項１に記載の超音波装置。
【請求項１６】
前記コントローラ、前記メモリ回路および前記複数の超音波トランスデューサが、プローブ上に集積される、請求項１に記載の超音波装置。
【請求項１７】
前記コントローラが、前記非音響データを得るように前記非音響センサを制御するようにさらに構成される、請求項１に記載の超音波装置。
【請求項１８】
前記制御データが、事前に定義されたパラメータセットを含み、前記コントローラが、前記非音響データおよび前記事前に定義されたパラメータの関数として１つまたは複数の個別の音響データセットを得るように前記複数の超音波トランスデューサを制御することによって、少なくとも部分的に前記取得タスクに対する前記音響データを得るように前記複数の超音波トランスデューサを制御するようにさらに構成される、請求項１に記載の超音波装置。
【請求項１９】
命令を格納するコンピュータ可読記憶装置であって、前記命令が、複数の超音波トランスデューサと、非音響センサと、取得タスクを実行するように超音波装置を動作させるための制御データを格納するように構成されたメモリ回路とを含む超音波プローブを含む超音波装置によって実行されると、
前記取得タスクを実行するという指示を受信することと、
前記非音響センサによって得られた非音響データを受信することと、
前記制御データおよび前記非音響データに基づいて、前記取得タスクに対する音響データを得るように前記複数の超音波トランスデューサを制御することと
を含むプロセスを前記超音波プローブに実行させる、コンピュータ可読記憶装置。
【請求項２０】
前記制御データが、前記取得タスクに対する前記音響データを得るように前記複数の超音波トランスデューサを制御するためのパラメータ値を含み、前記制御することが、前記非音響データに基づいて前記パラメータ値を選択することをさらに含む、請求項１９に記載のコンピュータ可読記憶装置。
【請求項２１】
前記非音響センサが、前記超音波装置のコンポーネントの温度を検出するように構成された温度センサを含み、前記コンポーネントの前記温度が閾値を超えたことを前記温度センサが検出すると、前記制御することが、前記取得タスクに対する前記音響データを得るために使用される電力の量を低減するように前記複数の超音波トランスデューサを制御することをさらに含む、請求項１９に記載のコンピュータ可読記憶装置。
【請求項２２】
前記制御することが、前記非音響データに少なくとも部分的に基づいて前記音響データを処理することをさらに含む、請求項１９に記載のコンピュータ可読記憶装置。
【請求項２３】
前記非音響センサが、前記超音波装置の運動を検出するように構成され、前記制御することが、前記非音響センサによって検出された前記運動を補償するために前記音響データを処理することをさらに含む、請求項２２に記載のコンピュータ可読記憶装置。
【請求項２４】
前記プロセスが、前記超音波装置の外部のデバイスから前記取得タスクを実行するという前記指示を受信することをさらに含む、請求項１９に記載のコンピュータ可読記憶装置。
【請求項２５】
前記プロセスが、デジタル通信リンクを介して前記デバイスから前記指示を受信することをさらに含む、請求項２４に記載のコンピュータ可読記憶装置。
【請求項２６】
前記制御することが、前記超音波装置の前記外部のデバイスに前記音響データを送信することをさらに含む、請求項２４に記載のコンピュータ可読記憶装置。
【請求項２７】
前記超音波装置が、送信回路をさらに含み、前記制御することが、前記制御データおよび前記非音響データに基づいて、前記取得タスクに対する前記音響データを得るように前記複数の超音波トランスデューサおよび前記送信回路を制御することをさらに含む、請求項１９に記載のコンピュータ可読記憶装置。
【請求項２８】
前記制御することが、前記非音響データを得るように前記非音響センサを制御することをさらに含む、請求項１９に記載のコンピュータ可読記憶装置。
【請求項２９】
前記制御データが、事前に定義されたパラメータセットを含み、前記制御することが、前記非音響データおよび前記事前に定義されたパラメータの関数として１つまたは複数の個別の音響データセットを得るように前記複数の超音波トランスデューサを制御することをさらに含む、請求項１９に記載のコンピュータ可読記憶装置。
【請求項３０】
前記超音波装置の少なくとも一部を形成する、請求項１９に記載のコンピュータ可読記憶装置。